(57)【特許請求の範囲】
【請求項１】
平行角線コイルのプレス用成形型であって、
前記平行角線コイルが収容される収容部と、
前記収容部を形成する壁として、前記平行角線コイルの長辺側に対向し、前記平行角線コイルを挟むように設けられた一対のガイド面と、を備え、
前記ガイド面の上部は、内側に向かって傾斜しており、
前記ガイド面を有するガイド本体の上部には、ガイド突起部が設けられており、
前記ガイド本体が前後方向に延在している場合に、前記ガイド突起部の頂部は三角形状をなし、斜めに切り落とされた前後方向傾斜面が形成されている
プレス用成形型。
【発明の詳細な説明】
【技術分野】
【０００１】
本発明は、平行角線コイルのプレス用成形型に関する。
【背景技術】
【０００２】
従来、このような分野の技術として、特開２００９−２１８４００号公報がある。この公報には、集中線を巻回してなるコイルの製造方法について開示されている。この公報では、絶縁被覆導線を並列に重ね合わせ、成形型を用いて絶縁被覆導線の重ね合わせ方向にプレス加工することにより集合線を形成し、形成した偏平な集中線を巻線機によりエッジワイズ巻きにすることにより、コイルを形成することについて開示されている。
【先行技術文献】
【特許文献】
【０００３】
【特許文献１】特開２００９−２１８４００号公報
【発明の概要】
【発明が解決しようとする課題】
【０００４】
しかしながら、前述した従来のコイル製造方法では、巻回してなるコイル全体に対して成形型を用いてプレス成形する際に、コイルが捻れた形状をしていると、成形型の上型と下型でコイルを挟むと、コイルの捻れた部分が上型と下型に挟まって良好にコイルをプレス成形することができない場合がある。
本発明は、コイルのプレス形成を行う際に、コイルの挟み込みの発生を防止するプレス用成形型を提供するものである。
【課題を解決するための手段】
【０００５】
本発明にかかるプレス用成形型は、平行角線コイルのプレス用成形型であって、前記平行角線コイルが収容される収容部と、前記収容部を形成する壁として、前記平行角線コイルの長辺側に対向し、前記平行角線コイルを挟むように設けられた一対のガイド面と、を備え、前記ガイド面の上部は、内側に向かって傾斜している。
これにより、コイルが捻れた形状をしている場合であっても、コイルの捻れ部分をガイド部の傾斜を利用して収容部にガイドしながら、プレス形成を良好に行うことができる。
【発明の効果】
【０００６】
これにより、コイルのプレス形成を行う際に、プレス型へのコイルの挟み込みの発生を防止することができる。
【図面の簡単な説明】
【０００７】
【図１】プレス成形型の下型を示す斜視図である。
【図２】プレス成形型の下型を示す上面図である。
【図３】プレス成形型の正面図である。
【図４】プレス成形型の側面図である。
【図５】軸方向に歪んだ状態で形成されたコイルを示す平面図である。
【図６】コイル成形後の下型の状態を示す斜視図である。
【図７】コイル成形後の下型の状態を示す平面図である。
【図８】コイル成形後のプレス成形型を示す正面図である。
【図９】コイル成形後のプレス成形型を示す側面図である。
【発明を実施するための形態】
【０００８】
実施の形態１
以下、図面を参照して本発明の実施の形態について説明する。
図１〜４に示すように、プレス成形型１は、設置台（負図示）に固定された下型２と、下型２の上方に配置された上型３と、を備える。このプレス成形型１は、平行角線コイル（以下単にコイルという）４の成形を行う。なお、図５に示すように、プレス成形前のコイル４は、軸方向に捻りが発生して歪んだ形状を有している。
【０００９】
下型２には、基部１１と、基部１１の上部に立設された一対のガイド部１２と、ガイド部１２の間に配置された載置部３１と、を備える。
【００１０】
基部１１は、図３に示すように正面から見た場合に凸字状であり、前後方向に延びている。基部１１の上面には、平行をなす２個のガイド部１２が配置されている。各ガイド部１２は、ボルト２１ｂによって基部１１に固定される。
【００１１】
一対のガイド部１２は、基部１１の上方において前後方向に延在するように形成されたガイド本体２１と、ガイド本体２１の上部に設けられたガイド突起部２２と、を備える。また、左右一対のガイド部１２の間には、上下動する載置部３１が配置されている。ここで、ガイド部１２間は、上下動する載置部３１上にセットされたコイル４を収容するための収容部１３としての役割をなす。
【００１２】
ガイド本体２１は、収容部１３に押し込まれたコイル４を成形する第１のガイド面２１Ａを有する。第１のガイド面２１Ａは、上方に位置して鉛直方向に延在する鉛直面２１ａと、鉛直面２１ａの下端から斜め内側下方に向かって傾斜する傾斜面２１ｂと、からなる。ガイド突起部２２の内壁面側に設けられた第２のガイド面２２Ａは、第１のガイド面２１Ａの円直面２１ａの上端に連続して鉛直方向に延在する鉛直面２２ａと、鉛直面２２ａの上端から斜め外側上方に向かって傾斜する傾斜面２２ｂとからなる。さらに、ガイド突起部２２の頂部は三角形状をなしており、ガイド突起部２２の前後には、斜めに切り落とされた前後方向傾斜面２２ｃが形成されている。なお、第１のガイド面２１Ａと第２のガイド面２１Ｂにより、ガイド面２３が形成されている。
【００１３】
前後方向傾斜面２２ｃは、図１〜４に示すように水平方向に対して約４５°で形成されていても良く、コイル４の捻りが大きくないものを扱う場合には、水平方向に対して約１５°の傾斜角など、浅い角度で形成されていても良い。前後方向傾斜面２２ｃは、捻りを有するコイル４のコーナー部Ａ（図５参照）を逃がすことにより、図２に示すように、コイル４の長辺の中央付近を第２のガイド面２２ａに接触させた状態とする。
【００１４】
収容部１３は、対向するガイド部１２に挟まれることにより溝状に形成されている。収容部１３には、コイル４を載置する載置部３１と、コイル４の位置決めを行う位置決めピン３２と、が配置されている。
【００１５】
載置部３１は、支柱３１ｂの上端に固定され、この支柱３１ｂの下端は基部１１内に挿入され、図示しない付勢手段（例えばスプリング）により保持されている。
【００１６】
載置部３１は、載置部３１上に配置されたコイル４に対して、上型３により下方に押圧する力が加わった場合に下降する。また、載置部３１は、上型３により下方に押圧する力が解除された場合に、付勢力により上方に移動する。また、載置部３１には、複数の位置決めピン３２を貫通させる穴部が設けられている。
【００１７】
位置決めピン３２は、一端部が収容部１３の底部から立設されており、載置部３１の下方から穴部を貫通した状態で配置されている。位置決めピン３２の上端部は、載置部３１が上方に位置している場合に、僅かに載置部３１の上部から突出している。また、位置決めピン３２は、載置部３１が下降するにしたがって突出量が大きくなる。位置決めピン３２は、コイル４の内側に配されることにより、コイル４の短辺側の内側を支持する。これにより位置決めピン３２は、プレス中にコイル４が前後方向に動かないようにしている。
【００１８】
なお、位置決めピン３２の上部には傾斜が設けられている。位置決めピン３２のうちの一本はコイル４の一方の短辺側を支持する基準位置決めピン３２ａであり、前側が下向きに傾斜している。また、基準位置決めピン３２ａ以外の位置決めピン３２ｂは、後側が下向きに傾斜している。なお、コイル４の長辺の長さにより、いずれの位置決めピン３２ｂを使用するかが選択される。
【００１９】
上型３は、コイル４の上面を下方向に押圧する押圧部４１を備える。押圧部４１は、上型３の下部に形成されている。押圧部４１は、載置部３１の左右方向の幅と略同一の幅を有しており、収容部１３内までコイル４の上部を押し込むことが可能である。
【００２０】
次に、図面を参照して、プレス成形型１を用いてコイル４の成形を行う動作について説明する。
【００２１】
最初に、図１〜４に示すように、捻りを有するコイル４を、収容部１３の載置部３１に載せる。このとき、ガイド部１２に設けられたガイド突起部２２の第２のガイド面２２ａには、捻りを有するコイル４の長辺部分の中央が接触した状態になっている。
【００２２】
次に、上型３を下降させる。このとき上型３の押圧部４１により、コイル４の上面が下方向に押圧される。
【００２３】
押圧部４１がコイル４の上面を下方に押圧することにより、付勢力に抗して、載置部３１が下降する。
【００２４】
このとき、第２のガイド面２２ａは、コイル４が上型３により下方に押し込まれる際に、第２のガイド面２２ａに接しているコイル４の長辺を、傾斜によって収容部１３の内側方向にガイドする。これにより、コイル４は、徐々に捻れが解消されながら収容部１３に押し込まれる。
【００２５】
また、このとき、位置決めピン３２の上端の傾斜は、コイル４の短辺を傾斜に沿って下降するようにガイドする。
【００２６】
次に、図６〜９に示すように、コイル４は上型３の押圧部４１に押圧されて、コイル４が完全に収容部１３内に入りきった状態となり、プレス成形型１によるコイル４のプレス成形が行われる。
【００２７】
このプレス成形型によると、第１及び第２のガイド面が設けられているので、プレス型へのコイル４の挟み込みの発生を防止して、コイル４の良好なプレス成形を行うことができる。
【００２８】
なお、本発明は上記実施の形態に限られたものではなく、趣旨を逸脱しない範囲で適宜変更することが可能である。
【符号の説明】
【００２９】
１…プレス成形型、２…下型、３…上型、４…平行角線コイル、１１…基台、１２…ガイド部、１３…収容部、２１…ガイド本体、２１Ａ…第１のガイド面、２１ａ…鉛直面、２１ｂ…傾斜面、２２…ガイド突起部、２２Ａ…第２のガイド面、２２ａ…鉛直面、２２ｂ…傾斜面、２２ｃ…前後方向傾斜面、２３…ガイド面、３１…載置台、３１ｂ…支柱、３２…位置決めピン、３２ａ…基準位置決めピン、３２ｂ…位置決めピン、４１押圧部
【図１】
0006314848.tif 000002
【図２】
0006314848.tif 000003
【図３】
0006314848.tif 000004
【図４】
0006314848.tif 000005
【図５】
0006314848.tif 000006
【図６】
0006314848.tif 000007
【図７】
0006314848.tif 000008
【図８】
0006314848.tif 000009
【図９】
0006314848.tif 000010